(57)【特許請求の範囲】
【請求項１】
壁面に据え付けられる空気調和機の室内機の長手方向端部に装着される嵌合凹部を有する緩衝部材であって、
前記室内機の長手方向端部が前記嵌合凹部に装着された状態において、
前記壁面に据え付けられたときに前記室内機の下側に配置される下側カバー部の前記壁面に対向する縁部であって且つ前記室内機の長手方向に沿った第１縁部と、前記嵌合凹部内で前記壁面に据え付けられたときに前記室内機の背面となる面に対向する底面における前記第１縁部に対向する第１部分との間、
及び、
前記壁面に据え付けられたときに前記室内機の上側に配置される上側カバー部の前記壁面に対向する縁部であって且つ前記室内機の長手方向に沿った第２縁部と、前記嵌合凹部内で前記壁面に据え付けられたときに前記室内機の背面となる面に対向する底面における前記第２縁部に対向する第２部分との間、
の少なくとも一方に隙間が設けられるように構成されていることを特徴とする、緩衝部材。
【請求項２】
前記下側カバー部と、前記上側カバー部と、前記室内機の長手方向端部において前記下側カバー部と前記上側カバー部とを接続する側面カバー部は、箱状のカバー部材の一部分であって、
前記室内機の長手方向端部が前記嵌合凹部に装着された状態において、
前記カバー部材内に収容された部材、及び、前記壁面に据え付けられたときに前記室内機の長手方向端部に配置される前記側面カバー部の前記壁面に対向する縁部であって且つ前記室内機の長手方向と直交する方向に沿った第３縁部の少なくとも一方が、前記嵌合凹部内の前記底面における前記第１部分及び前記第２部分以外の部分に当接するように構成されていることを特徴とする、請求項１に記載の緩衝部材。
【請求項３】
前記嵌合凹部内の前記底面は、前記第１部分及び前記第２部分の少なくとも一方より高く構成されている部分を含むことを特徴とする、請求項１又は２に記載の緩衝部材。
【請求項４】
前記第１部分及び前記第２部分の少なくとも一方に凹部を形成することを特徴とする、請求項１〜３のいずれか１項に記載の緩衝部材。
【請求項５】
壁面に据え付けられる空気調和機の室内機の長手方向端部の一部に装着される嵌合凹部を有する緩衝部材であって、
前記壁面に据え付けられたときに前記室内機の長手方向端部の下側に配置される下側角部が前記嵌合凹部に装着された状態において、
前記壁面に据え付けられたときに前記室内機の下側に配置される下側カバー部の前記壁面に対向する縁部であって且つ前記室内機の長手方向に沿った第１縁部と、前記嵌合凹部内で前記壁面に据え付けられたときに前記室内機の背面となる面に対向する底面における前記第１縁部に対向する第１部分と、の間に隙間が設けられるように構成されていることを特徴とする、緩衝部材。
【請求項６】
前記室内機の長手方向端部において前記下側カバー部と接続される側面カバー部は、箱状のカバー部材の一部分であって、
前記室内機の下側角部が前記嵌合凹部に装着された状態において、
前記カバー部材内に収容された部材、及び、前記壁面に据え付けられたときに前記室内機の長手方向端部に配置される側面カバー部の前記壁面に対向する縁部であって且つ前記室内機の長手方向と直交する方向に沿った第３縁部の少なくとも一方が、前記嵌合凹部内の前記底面における前記第１部分以外の部分に当接するように構成されていることを特徴とする、請求項５に記載の緩衝部材。
【請求項７】
前記嵌合凹部内の前記底面は、前記第１部分より高く構成されている部分を含むことを特徴とする、請求項５又は６に記載の緩衝部材。
【請求項８】
前記第１部分に凹部を形成することを特徴とする、請求項５〜７のいずれか１項に記載の緩衝部材。
【請求項９】
壁面に据え付けられる空気調和機の室内機の長手方向端部の一部に装着される嵌合凹部を有する緩衝部材であって、
前記壁面に据え付けられたときに前記室内機の長手方向端部の上側に配置される上側角部が前記嵌合凹部に装着された状態において、
前記壁面に据え付けられたときに前記室内機の上側に配置される上側カバー部の前記壁面に対向する縁部であって且つ前記室内機の長手方向に沿った第２縁部と、前記嵌合凹部内で前記壁面に据え付けられたときに前記室内機の背面となる面に対向する底面における前記第２縁部に対向する第２部分と、の間に隙間が設けられるように構成されていることを特徴とする、緩衝部材。
【請求項１０】
前記室内機の長手方向端部において前記上側カバー部と接続される側面カバー部は、箱状のカバー部材の一部分であって、
前記室内機の上側角部が前記嵌合凹部に装着された状態において、
前記カバー部材内に収容された部材、及び、前記壁面に据え付けられたときに前記室内機の長手方向端部に配置される側面カバー部の前記壁面に対向する縁部であって且つ前記室内機の長手方向と直交する方向に沿った第３縁部の少なくとも一方が、前記嵌合凹部内の前記底面における前記第２部分以外の部分に当接するように構成されていることを特徴とする、請求項９に記載の緩衝部材。
【請求項１１】
前記嵌合凹部内の前記底面は、前記第２部分より高く構成されている部分を含むことを特徴とする、請求項９又は１０に記載の緩衝部材。
【請求項１２】
前記第２部分に凹部を形成することを特徴とする、請求項９〜１１のいずれか１項に記載の緩衝部材。
【請求項１３】
前記嵌合凹部内の前記底面における、前記壁面に据え付けられたときに前記室内機の長手方向端部に配置される側面カバー部の前記壁面に対向する縁部であって且つ前記室内機の長手方向と直交する方向に沿った第３縁部に対向する第３部分に、凸部が形成されるように構成されていることを特徴とする、請求項１〜１２のいずれか１項に記載の緩衝部材。
【請求項１４】
前記壁面に据え付けられたときに前記室内機の長手方向端部に配置される側面カバー部の前記壁面に対向する縁部であって且つ前記室内機の長手方向と直交する方向に沿った第３縁部と、前記嵌合凹部内の前記底面における前記第３縁部に対向する第３部分との間に、隙間が設けられるように構成されていることを特徴とする、請求項１〜１２のいずれか１項に記載の緩衝部材。
【請求項１５】
前記第３部分に凹部を形成することを特徴とする、請求項１４に記載の緩衝部材。
【請求項１６】
前記室内機の長手方向端部の背面側の角部に装着される第１部材と、前記室内機の長手方向端部の前面側の角部に装着される第２部材とに分割されることを特徴とする、請求項１〜１５のいずれか１項に記載の緩衝部材。 
【発明の詳細な説明】
【技術分野】
【０００１】
本発明は、緩衝部材に関し、特に、空気調和機の室内機の端部又は角部に装着される嵌合凹部を有する緩衝部材に関する。
【背景技術】
【０００２】
通常、空気調和機の室内機を工場から出荷する際には、輸送時等において生じる振動による衝撃が室内機に伝達しないように発泡スチロールなどからなる緩衝部材が室内機の端部又は角部に装着されている（例えば、特許文献１及び特許文献２参照）。
【０００３】
上記特許文献１には、室内機の一方端部及び他方端部のそれぞれに装着される嵌合凹部を有する一対の緩衝部材であって、室内機の重心位置に近接する一方端部に装着される緩衝部材の厚みを、他方端部に装着される緩衝部材の厚みより大きくする技術が開示されている。このようにして、一対の緩衝部材が装着された室内機の落下時に室内機に加わる衝撃荷重を緩和している。また、上記特許文献２には、室内機の端部に装着される嵌合凹部に奥行き方向に窪んだ凹部を形成した緩衝部材が開示されている。
【０００４】
【特許文献１】特開２００７−１３７４６４号公報
【特許文献２】実開昭６０−１１５８８５号公報
【発明の開示】
【発明が解決しようとする課題】
【０００５】
上記した特許文献１及び２に開示される緩衝部材が装着される室内機は、一般的に、図１３に示すように、段ボール９０３に梱包されて、複数段に積み上げて保管される。この際、下段の室内機９０２ｂには、上段に積層された室内機９０２ａからの荷重が加わる。そのため、上段の室内機９０２ａからの荷重によって下段の室内機９０２ｂが緩衝部材９０１の底面部９１５に押し付けられるという不都合がある。このとき、室内機９０２ｂの外観を形成するカバー部材９２２が緩衝部材９０１の底面部９１５に押し付けられて変形してしまうという問題がある。特に、室内機９０２ｂの長手方向に沿い且つ壁掛時に室内機９０２ｂの下側に配置される下側カバー部９２２ａと、室内機９０２ｂの長手方向に沿い且つ壁掛時に室内機９０２ｂの上側に配置される上側カバー部９２２ｂとは、薄肉で撓み易く、変形が顕著である。なお、室内機の長手方向に直交する方向に沿い且つ壁掛時に室内機の両側面に配置される側面カバー部（図示せず）は、緩衝部材９０１に当接することで変形が抑制されている。また、従来では、下側カバー部９２２ａや上側カバー部９２２ｂが底面部９１５に押し付けられても撓まないように、下側カバー部９２２ａや上側カバー部９２２ｂをテープ（図示せず）などで固定することもあったが、テープを貼り付ける作業が増加したり、テープを剥がす際に製品（室内機）にテープの跡が残ったりする問題があった。
【０００６】
そこで、この発明は、上記のような課題を解決するためになされたものであり、積層時に室内機のカバー部材が変形してしまうのを抑制することが可能な緩衝部材を提供することを目的とする。
【課題を解決するための手段】
【０００７】
第１の発明にかかる緩衝部材は、壁面に据え付けられる空気調和機の室内機の長手方向端部に装着される嵌合凹部を有する緩衝部材であって、前記室内機の長手方向端部が前記嵌合凹部に装着された状態において、前記壁面に据え付けられたときに前記室内機の下側に配置される下側カバー部の前記壁面に対向する縁部であって且つ前記室内機の長手方向に沿った第１縁部と、前記嵌合凹部内で前記壁面に据え付けられたときに前記室内機の背面となる面に対向する底面における前記第１縁部に対向する第１部分との間、及び、前記壁面に据え付けられたときに前記室内機の上側に配置される上側カバー部の前記壁面に対向する縁部であって且つ前記室内機の長手方向に沿った第２縁部と、前記嵌合凹部内で前記壁面に据え付けられたときに前記室内機の背面となる面に対向する底面における前記第２縁部に対向する第２部分との間、の少なくとも一方に隙間が設けられるように構成されていることを特徴としている。
【０００８】
この緩衝部材では、下側カバー部の第１縁部と嵌合凹部内の底面との間、及び、上側カバー部の第２縁部と嵌合凹部内の底面との間の少なくとも一方に隙間が設けられているので、室内機の積層時に、上段に積み上げられた室内機から荷重を受けても、下側カバー部の第１縁部及び上側カバー部の第２縁部の少なくとも一方は、嵌合凹部内の底面と接触しない。このため、下側カバー部の第１縁部及び上側カバー部の第２縁部の少なくとも一方が嵌合凹部内の底面に押し付けられることがないので、下側カバー部及び上側カバー部の少なくとも一方が撓んでしまうのを抑制することができる。従って、積層時に室内機の下側カバー部及び上側カバー部の少なくとも一方が変形してしまうのを抑制することができる。
【０００９】
また、この緩衝部材では、室内機の下側カバー部又は上側カバー部が薄肉で撓み易い構成であっても、下側カバー部の第１縁部及び上側カバー部の第２縁部の少なくとも一方は、嵌合凹部内の底面と接触しないので変形することがない。従って、下側カバー部又は上側カバー部の変形を抑制するために、材料や厚みなどを変更して下側カバー部又は上側カバー部の強度を上げる必要がない。さらに、材料や厚みなどを変更して緩衝部材の強度を上げる必要もない。
【００１０】
さらに、この緩衝部材では、下側カバー部の第１縁部及び上側カバー部の第２縁部の少なくとも一方と、嵌合凹部の底面との間に隙間を設けるだけで、下側カバー部及び上側カバー部の少なくとも一方が変形してしまうのを抑制することができるので、下側カバー部及び上側カバー部を固定するためのテープを貼り付ける作業が不要になる。そのため、テープを剥がす際に製品（室内機）にテープの跡が残るのを防止することができる。
【００１１】
第２の発明にかかる緩衝部材は、第１の発明にかかる緩衝部材において、前記下側カバー部と、前記上側カバー部と、前記室内機の長手方向端部において前記下側カバー部と前記上側カバー部とを接続する側面カバー部は、箱状のカバー部材の一部分であって、前記室内機の長手方向端部が前記嵌合凹部に装着された状態において、前記カバー部材内に収容された部材、及び、前記壁面に据え付けられたときに前記室内機の長手方向端部に配置される前記側面カバー部の前記壁面に対向する縁部であって且つ前記室内機の長手方向と直交する方向に沿った第３縁部の少なくとも一方が、前記嵌合凹部内の前記底面における前記第１部分及び前記第２部分以外の部分に当接するように構成されていることを特徴としている。
第３の発明にかかる緩衝部材は、第１又は２の発明にかかる緩衝部材において、  前記嵌合凹部内の前記底面は、前記第１部分及び前記第２部分の少なくとも一方より高く構成されている部分を含むことを特徴としている。
【００１２】
この緩衝部材では、上段に積み上げられた室内機から荷重を受けても、第１部分及び第２部分の少なくとも一方より高い部分において、当該室内機の荷重を支持することができる。これにより、容易に、上側カバー部の第１縁部及び下側カバー部の第２縁部の少なくとも一方と嵌合凹部内の底面とが接触しないようにすることができる。
【００１３】
第４の発明にかかる緩衝部材は、第１の発明〜第３の発明のいずれかにかかる緩衝部材において、前記第１部分及び前記第２部分の少なくとも一方に凹部を形成することを特徴としている。
【００１４】
この緩衝部材では、第１部分及び第２部分の少なくとも一方に凹部を形成するという簡単な構成で、上記した嵌合凹部内の底面に第１部分及び第２部分の少なくとも一方より高い部分が設けられている緩衝部材を実現できる。
【００１５】
第５の発明にかかる緩衝部材は、壁面に据え付けられる空気調和機の室内機の長手方向端部の一部に装着される嵌合凹部を有する緩衝部材であって、前記壁面に据え付けられたときに前記室内機の長手方向端部の下側に配置される下側角部が前記嵌合凹部に装着された状態において、前記壁面に据え付けられたときに前記室内機の下側に配置される下側カバー部の前記壁面に対向する縁部であって且つ前記室内機の長手方向に沿った第１縁部と、前記嵌合凹部内で前記壁面に据え付けられたときに前記室内機の背面となる面に対向する底面における前記第１縁部に対向する第１部分と、の間に隙間が設けられるように構成されていることを特徴としている。
【００１６】
この緩衝部材では、下側カバー部の第１縁部と嵌合凹部内の底面との間に隙間が設けられているので、室内機の積層時に、上段に積み上げられた室内機から荷重を受けても、下側カバー部の第１縁部は、嵌合凹部内の底面と接触しない。このため、下側カバー部の第１縁部が嵌合凹部内の底面に押し付けられることがないので、下側カバー部が撓んでしまうのを抑制することができる。従って、積層時に室内機の下側カバー部が変形してしまうのを抑制することができる。また、第１の発明にかかる緩衝部材と同様に、材料や厚みなどを変更して下側カバー部及び緩衝部材の強度を上げる必要もなく、且つ、テープを貼り付ける作業を省略して、製品（室内機）にテープの跡が残るのを防止することができる。
【００１７】
第６の発明にかかる緩衝部材は、第５の発明にかかる緩衝部材において、前記室内機の長手方向端部において前記下側カバー部と接続される側面カバー部は、箱状のカバー部材の一部分であって、前記室内機の下側角部が前記嵌合凹部に装着された状態において、前記カバー部材内に収容された部材、及び、前記壁面に据え付けられたときに前記室内機の長手方向端部に配置される側面カバー部の前記壁面に対向する縁部であって且つ前記室内機の長手方向と直交する方向に沿った第３縁部の少なくとも一方が、前記嵌合凹部内の前記底面における前記第１部分以外の部分に当接するように構成されていることを特徴としている。
第７の発明にかかる緩衝部材は、第５又は６の発明にかかる緩衝部材において、  前記嵌合凹部内の前記底面は、前記第１部分より高く構成されている部分を含むことを特徴としている。
【００１８】
この緩衝部材では、上段に積み上げられた室内機から荷重を受けても、第１部分より高い部分において、当該室内機の荷重を支持することができる。これにより、容易に、下側カバー部の第１縁部と嵌合凹部内の底面とが接触しないようにすることができる。
【００１９】
第８の発明にかかる緩衝部材は、第５の発明〜第７の発明のいずれかにかかる緩衝部材において、前記第１部分に凹部を形成することを特徴としている。
【００２０】
この緩衝部材では、第１部分に凹部を形成するという簡単な構成で、上記した嵌合凹部内の底面に第１部分より高い部分が設けられている緩衝部材を実現できる。
【００２１】
第９の発明にかかる緩衝部材は、壁面に据え付けられる空気調和機の室内機の長手方向端部の一部に装着される嵌合凹部を有する緩衝部材であって、前記壁面に据え付けられたときに前記室内機の長手方向端部の上側に配置される上側角部が前記嵌合凹部に装着された状態において、前記壁面に据え付けられたときに前記室内機の上側に配置される上側カバー部の前記壁面に対向する縁部であって且つ前記室内機の長手方向に沿った第２縁部と、前記嵌合凹部内で前記壁面に据え付けられたときに前記室内機の背面となる面に対向する底面における前記第２縁部に対向する第２部分と、の間に隙間が設けられるように構成されていることを特徴としている。
【００２２】
この緩衝部材では、上側カバー部の第２縁部と嵌合凹部内の底面との間に隙間が設けられているので、室内機の積層時に、上段に積み上げられた室内機から荷重を受けても、上側カバー部の第２縁部は、嵌合凹部内の底面と接触しない。このため、上側カバー部の第２縁部が嵌合凹部内の底面に押し付けられることがないので、上側カバー部が撓んでしまうのを抑制することができる。従って、積層時に室内機の上側カバー部が変形してしまうのを抑制することができる。また、第１の発明にかかる緩衝部材と同様に、材料や厚みなどを変更して上側カバー部及び緩衝部材の強度を上げる必要もなく、且つ、テープを貼り付ける作業を省略して、製品（室内機）にテープの跡が残るのを防止することができる。
【００２３】
第１０の発明にかかる緩衝部材は、第９の発明にかかる緩衝部材において、前記室内機の長手方向端部において前記上側カバー部と接続される側面カバー部は、箱状のカバー部材の一部分であって、前記室内機の上側角部が前記嵌合凹部に装着された状態において、前記カバー部材内に収容された部材、及び、前記壁面に据え付けられたときに前記室内機の長手方向端部に配置される側面カバー部の前記壁面に対向する縁部であって且つ前記室内機の長手方向と直交する方向に沿った第３縁部の少なくとも一方が、前記嵌合凹部内の前記底面における前記第２部分以外の部分に当接するように構成されていることを特徴としている。
第１１の発明にかかる緩衝部材は、第９又は１０の発明にかかる緩衝部材において、前記嵌合凹部内の前記底面は、前記第２部分より高く構成されている部分を含むことを特徴としている。
【００２４】
この緩衝部材では、上段に積み上げられた室内機から荷重を受けても、第２部分より高い部分において、当該室内機の荷重を支持することができる。これにより、容易に、上側カバー部の第２縁部と嵌合凹部内の底面とが接触しないようにすることができる。
【００２５】
第１２の発明にかかる緩衝部材は、第９の発明〜第１１の発明のいずれかにかかる緩衝部材において、前記第２部分に凹部を形成することを特徴としている。
【００２６】
この緩衝部材では、第２部分に凹部を形成するという簡単な構成で、上記した嵌合凹部内の底面に第２部分より高い部分が設けられている緩衝部材を実現できる。
【００２７】
第１３の発明にかかる緩衝部材は、第１の発明〜第１２の発明のいずれかにかかる緩衝部材において、前記嵌合凹部内の前記底面における、前記壁面に据え付けられたときに前記室内機の長手方向端部に配置される側面カバー部の前記壁面に対向する縁部であって且つ前記室内機の長手方向と直交する方向に沿った第３縁部に対向する第３部分に、凸部が形成されるように構成されていることを特徴としている。
【００２８】
この緩衝部材では、側面カバー部の第３縁部に対向する嵌合凹部内の底面の第３部分に凸部を形成すれば、当該凸部で側面カバー部を支持することができるので、第１部分及び第２部分と底面との間に隙間を設けることができる。
第１４の発明にかかる緩衝部材は、第１の発明〜第１２の発明のいずれかにかかる緩衝部材において、前記壁面に据え付けられたときに前記室内機の長手方向端部に配置される側面カバー部の前記壁面に対向する縁部であって且つ前記室内機の長手方向と直交する方向に沿った第３縁部と、前記嵌合凹部内の前記底面における前記第３縁部に対向する第３部分との間に、隙間が設けられるように構成されていることを特徴としている。
第１５の発明にかかる緩衝部材は、第１４の発明にかかる緩衝部材において、前記第３部分に凹部を形成することを特徴としている。
第１６の発明にかかる緩衝部材は、第１の発明〜第１５の発明のいずれかにかかる緩衝部材において、前記室内機の長手方向端部の背面側の角部に装着される第１部材と、前記室内機の長手方向端部の前面側の角部に装着される第２部材とに分割されることを特徴としている。
【発明の効果】
【００２９】
以上の説明に述べたように、本発明によれば、以下の効果が得られる。
【００３０】
第１、２の発明では、下側カバー部の第１縁部及び上側カバー部の第２縁部の少なくとも一方が嵌合凹部内の底面に押し付けられることがないので、下側カバー部及び上側カバー部の少なくとも一方が撓んでしまうのを抑制することができる。従って、積層時に室内機の下側カバー部及び上側カバー部の少なくとも一方が変形してしまうのを抑制することができる。また、第１の発明では、室内機の下側カバー部及び上側カバー部が薄肉で撓み易い構成であっても、下側カバー部の第１縁部及び上側カバー部の第２縁部の少なくとも一方は、嵌合凹部内の底面と接触しないので変形することがない。従って、下側カバー部又は上側カバー部の変形を抑制するために、材料や厚みなどを変更して下側カバー部又は上側カバー部の強度を上げる必要がない。さらに、材料や厚みなどを変更して緩衝部材の強度を上げる必要もない。さらに、第１の発明では、下側カバー部及び上側カバー部を固定するためのテープを貼り付ける作業が不要になる。そのため、テープを剥がす際に製品（室内機）にテープの跡が残るのを防止することができる。
【００３１】
また、第３の発明では、上段に積み上げられた室内機から荷重を受けても、第１部分及び第２部分の少なくとも一方より高い部分において、当該室内機の荷重を支持することができる。これにより、容易に、上側カバー部の第１縁部及び下側カバー部の第２縁部の少なくとも一方と嵌合凹部内の底面とが接触しないようにすることができる。
【００３２】
また、第４の発明では、第１部分及び第２部分の少なくとも一方に凹部を形成するという簡単な構成で、上記した嵌合凹部内の底面に第１部分及び第２部分の少なくとも一方より高い部分が設けられている緩衝部材を実現できる。
【００３３】
第５、６の発明では、下側カバー部の第１縁部と嵌合凹部内の底面との間に隙間が設けられているので、室内機の積層時に、上段に積み上げられた室内機から荷重を受けても、下側カバー部の第１縁部は、嵌合凹部内の底面と接触しない。このため、下側カバー部の第１縁部が嵌合凹部内の底面に押し付けられることがないので、下側カバー部が撓んでしまうのを抑制することができる。従って、積層時に室内機の下側カバー部が変形してしまうのを抑制することができる。また、第１の発明にかかる緩衝部材と同様に、材料や厚みなどを変更して下側カバー部及び緩衝部材の強度を上げる必要もなく、且つ、テープを貼り付ける作業を省略して、製品（室内機）にテープの跡が残るのを防止することができる。
【００３４】
また、第７の発明では、上段に積み上げられた室内機から荷重を受けても、第１部分より高い部分において、当該室内機の荷重を支持することができる。これにより、容易に、下側カバー部の第１縁部と嵌合凹部内の底面とが接触しないようにすることができる。
【００３５】
また、第８の発明では、第１部分に凹部を形成するという簡単な構成で、上記した嵌合凹部内の底面に第１部分より高い部分が設けられている緩衝部材を実現できる。
【００３６】
第９、１０の発明では、上側カバー部の第２縁部と嵌合凹部内の底面との間に隙間が設けられているので、室内機の積層時に、上段に積み上げられた室内機から荷重を受けても、上側カバー部の第２縁部は、嵌合凹部内の底面と接触しない。このため、上側カバー部の第２縁部が嵌合凹部内の底面に押し付けられることがないので、上側カバー部が撓んでしまうのを抑制することができる。従って、積層時に室内機の上側カバー部が変形してしまうのを抑制することができる。また、第１の発明にかかる緩衝部材と同様に、材料や厚みなどを変更して上側カバー部及び緩衝部材の強度を上げる必要もなく、且つ、テープを貼り付ける作業を省略して、製品（室内機）にテープの跡が残るのを防止することができる。
【００３７】
また、第１１の発明では、上段に積み上げられた室内機から荷重を受けても、第２部分より高い部分において、当該室内機の荷重を支持することができる。これにより、容易に、上側カバー部の第２縁部と嵌合凹部内の底面とが接触しないようにすることができる。
【００３８】
また、第１２の発明では、第２部分に凹部を形成するという簡単な構成で、上記した嵌合凹部内の底面に第２部分より高い部分が設けられている緩衝部材を実現できる。
【００３９】
また、第１３の発明では、側面カバー部の第３縁部に対向する嵌合凹部内の底面の第３部分に凸部を形成すれば、当該凸部で側面カバー部を支持することができるので、第１部分及び第２部分と底面との間に隙間を設けることができる。
【発明を実施するための最良の形態】
【００４０】
以下、図面に基づいて、本発明に係る緩衝部材の実施形態について説明する。
【００４１】
（第１実施形態）
図１は、本発明の第１実施形態に係る緩衝部材が装着された室内機の積層状態を示した断面図である。図２は、室内機に緩衝部材が装着される前の状態を示した斜視図であり、図３は、室内機に緩衝部材が装着された状態を示した斜視図である。図４は、緩衝部材の正面図であり、図５は、図４に示したＤ−Ｄ線に沿った断面図である。
【００４２】
[室内機の構成]
まず、図１及び図２を参照して、緩衝部材１ａ及び１ｂが装着される室内機２の構成について説明する。空気調和機の室内機２は、図１に示すように、熱交換器、ファンモータ及びファンなどの機器類２１と、当該機器類２１を収容可能なカバー部材２２と、室内機２を壁面に据え付けるための据付板２３とを備えている。カバー部材２２は、図１及び図２に示すように、室内機２の下側に配置される下側カバー部２２ａ、上側に配置される上側カバー部２２ｂ、前面に配置される前面カバー部２２ｃ、両側面に配置される側面カバー部２２ｄとを含んでいる。このカバー部材２２は、背面側に開口２２ｅが設けられており、この開口２２ｅは、上記した据付板２３が設けられている。なお、上記した「上側」，「下側」，「前面」，「側面」，「背面」なる用語は、室内機２の壁掛時における位置
を示している。
【００４３】
下側カバー部２２ａ、上側カバー部２２ｂ及び側面カバー部２２ｄは、壁掛時に室内機２の機器類２１が、壁面とカバー部材２２との隙間から露出して美観が損なわれないように、壁掛時に壁面との間隔が小さくなっている。
【００４４】
[緩衝部材の構成]
次に、図１〜図５を参照して、緩衝部材１ａ及び１ｂの構成について説明する。なお、室内機２の一方端部２ａに装着される緩衝部材１ａと、他方端部２ｂに装着される緩衝部材１ｂとは、対称の形状、且つ、同じ材料であるので、他方端部２ｂに装着される緩衝部材１ｂについての説明は省略する。
【００４５】
本実施形態の緩衝部材１ａは、発泡スチロールからなり、図２及び図３に示すように、略直方体の室内機２の長手方向（Ｌ方向）の一方端部２ａに装着される。室内機２の梱包は、図１に示すように、室内機２の壁掛時の背面側を下にし、室内機２の一方端部２ａ及び他方端部２ｂに緩衝部材１ａ及び１ｂをそれぞれ装着して、段ボール３などで外装する形態で行われる。そして、梱包された室内機２は、輸送時や保管時に、複数段に積層される。
【００４６】
緩衝部材１ａには、室内機２の一方端部２ａが嵌め込まれる嵌合凹部１０ａを有する箱状であって、室内機２の一方端部２ａが当該嵌合凹部１０ａに挿入されることにより、緩衝部材１ａが装着される（図３参照）。この緩衝部材１ａは、図４に示すように、下側カバー部２２ａ及び上側カバー部２２ｂのそれぞれに対向する側面部１１及び１２と、前面カバー部２２ｃに対向する天面部１３と、側面カバー部２２ｄに対向する端面部１４と、据付板２３に対向する底面部１５とを有している。この天面部１３又は底面部１５と、側面部１１又は及び１２と、端面部１４とが、互いに直交接続されることにより、上記した
ように緩衝部材１ａが箱状に形成される。なお、上記した「側面」，「天面」，「端面」，「底面」なる用語は、室内機２の保管時における位置を示している。
【００４７】
ここで、本実施形態では、底面部１５において、図５に示すように、壁掛時に壁面に対向する下側カバー部２２ａの縁部２２１ａ（図１及び図３参照）に対向する部分Ａ１（太斜線領域）及び上側カバー部２２ｂの縁部２２１ｂ（図１参照）に対向する部分Ａ２（太斜線領域）と、それ以外の部分Ｂ（細斜線領域）とに高さの差が設けられており、部分Ａ１及びＡ２に比べて部分Ｂが高く構成されている。具体的には、図２及び図４に示すように、室内機２の長手方向（Ｌ方向）に沿って底面部１５の部分Ａ１及びＡ２のそれぞれに凹部１５ａ及び１５ｂを形成することにより、部分Ｂが部分Ａ１及びＡ２より高く構成される。従って、室内機２の一方端部２ａが嵌合凹部１０ａに装着された状態において、下側カバー部２２ａの縁部２２１ａと底面部１５との間、及び、上側カバー部２２ｂの縁部２２１ｂと底面部１５との間に隙間が設けられる。これにより、図１に示すように、積層時において下段の室内機２が上段の室内機２から荷重を受けた場合でも、部分Ａ１（凹部１５ａ）及びＡ２（凹部１５ｂ）では室内機２（下側カバー部２２ａ及び上側カバー部２２ｂ）が支持されない。この際、部分Ａ１及びＡ２以外の部分である部分Ｂにおいて、室内機２（据付板２３）が支持される。また、側面カバー部２２ｄは、全面にわたって緩衝部材１ａの端面部１４の内面に当接しているので、変形が抑制されている。
【００４８】
［本実施形態の緩衝部材の特徴］
本実施形態の緩衝部材１ａ及び１ｂには、以下のような特徴がある。
【００４９】
この緩衝部材１ａ及び１ｂでは、室内機２の積層時に、上段に積み上げられた室内機２から荷重を受けても、下側カバー部２２ａの縁部２２１ａ及び上側カバー部２２ｂの縁部２２１ｂは、底面部１５と接触しない。このため、下側カバー部２２ａの縁部２２１ａ及び上側カバー部２２ｂの縁部２２１ｂが底面部１５に押し付けられることがないので、下側カバー部２２ａ及び上側カバー部２２ｂが撓んでしまうのを抑制することができる。従って、積層時に室内機２の下側カバー部２２ａ及び上側カバー部２２ｂが変形してしまうのを抑制することができる。
【００５０】
また、緩衝部材１ａ及び１ｂでは、室内機２の下側カバー部２２ａ及び上側カバー部２２ｂが薄肉で撓み易い構成であっても、下側カバー部２２ａの縁部２２１ａ及び上側カバー部２２ｂの縁部２２１ｂは、底面部１５と接触しないので、変形することがない。従って、下側カバー部２２ａ及び上側カバー部２２ｂの変形を抑制するために、材料や厚みなどを変更してカバー部材２２の強度を上げる必要がない。さらに、材料や厚みなどを変更して緩衝部材１ａ及び１ｂの強度を上げる必要もない。
【００５１】
（第２実施形態）
図６は、室内機に本発明の第２実施形態に係る緩衝部材が装着された状態を示した斜視図である。この第２実施形態では、上記した室内機の一方端部及び他方端部に装着される第１実施形態の緩衝部材１ａ及び１ｂと異なり、室内機１０２の角部に装着される緩衝部材１０１ａ〜１０１ｄについて説明する。
【００５２】
本実施形態の緩衝部材１０１ａ及び１０１ｂは、図６に示すように、室内機１０２の壁掛時に下側に配置される下側角部に装着されると共に、緩衝部材１０１ｃ及び１０１ｄは、室内機１０２の壁掛時に上側に配置される上側角部に装着される。なお、室内機１０２の一方端部１０２ａ側の角部に装着される緩衝部材１０１ａ及び１０１ｃと、室内機１０２の他方端部１０２ｂ側の角部に装着される緩衝部材１０１ｂ及び１０１ｄとは、それぞれ、対称の形状、且つ、同じ材料であるので、他方端部１０２ｂ側の緩衝部材１０１ｂ及び１０１ｄについての説明は省略する。
【００５３】
本実施形態では、緩衝部材１０１ａの底面部１１５には、下側カバー部１２２ａの縁部１２２１ａに対向する部分に凹部１１５ａが形成されており、室内機１０２の下側角部が嵌合凹部１１０ａに装着された状態において、下側カバー部１２２ａの縁部１２２１ａと底面部１１５との間に隙間が設けられる。また、同様に、緩衝部材１０１ｃの底面部にも、上側カバー部の縁部に対向する部分に凹部（図示省略）が形成されており、室内機１０２の上側角部が嵌合凹部に装着された状態において、上側カバー部の縁部と底面部との間に隙間が設けられる。
【００５４】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５５】
例えば、上記実施形態では、底面部において、下側カバー部の縁部及び上側カバー部の縁部に対向する部分に凹部を形成することによって、底面部とカバー部材との間に隙間を設ける例について説明したが、本発明はこれに限らず、底面部において、据付板に対応するいずれかの部分（下側カバー部の縁部及び上側カバー部の縁部に対向する部分以外の部分）に凸部を設けることによって、底面部とカバー部材との間に隙間を設けてもよい。
【００５６】
また、上記実施形態では、下側カバー部の縁部及び上側カバー部の縁部と底面部との間に隙間を設けるために、底面部に凹部を設ける例について説明したが、本発明はこれに限らず、図７に示す第１変形例に係る緩衝部材２０１ａのように、室内機の長手方向（Ｌ方向）に直交する方向（Ｓ方向）に沿い且つ壁掛時に室内機の長手方向の端部に配置される側面カバー部の縁部に対向する底面部２１５の部分に凸部２１５ａを設けてもよい。この場合でも、下側カバー部の縁部及び上側カバー部の縁部と底面部との間に隙間を設けることが可能となる。
【００５７】
また、上記実施形態では、下側カバー部の縁部及び上側カバー部の縁部に対向する部分に凹部を設ける例について説明したが、本発明はこれに限らず、下側カバー部の縁部及び上側カバー部の縁部と、底面部との間に隙間が設けられていれば、凹部の形状は限定されない。例えば、図８に示す第２変形例に係る緩衝部材３０１ａのように、第１実施形態の緩衝部材１ａの凹部１５ａ，１５ｂと比較して大きな幅Ｗ１及びＷ２をそれぞれ有する凹部３１５ａ，３１５ｂを形成してもよい。また、図９に示す第３変形例に係る緩衝部材４０１ａのように、上記した第３変形例に係る緩衝部材３０１ａの凹部３１５ａ，３１５ｂと同様の凹部４１５ａ，４１５ｂに加えて、据付板を支持する部分に凹部４１５ｃを形成してもよい。この場合、凹部３１５ａ，３１５ｂ，４１５ａ，４１５ｂの幅を大きくする分と、凹部４１５ｃを設ける分とについて緩衝部材の材料を削減できる。
【００５８】
また、上記実施形態では、室内機２の一方端部２ａ及び他方端部２ｂを覆うように装着される緩衝部材１ａ及び１ｂについて説明したが、本発明はこれに限らず、図１０に示す第４変形例の緩衝部材５０１ａように、室内機の端部の背面側の角部に装着され、且つ、下側カバー部の縁部及び上側カバー部の縁部に対向する部分に凹部５１５ａ及び５１５ｂを有していてもよい。この緩衝部材５０１ａは、室内機の端部の前面側の角部に装着される緩衝部材５０１ｂと一対で使用される。
【００５９】
また、上記実施形態では、下側カバー部の縁部及び上側カバー部の縁部に対向する凹部を設ける例について説明したが、本発明はこれに限らず、図１１に示す第５変形例に係る緩衝部材６０１ａのように、下側カバー部の縁部に対向する凹部６１５ａ及び上側カバー部の縁部に対向する凹部６１５ｂに加えて、室内機の端部に配置される側面カバー部の縁部に対向する部分に凹部６１５ｃをさらに設けてもよい。
【００６０】
また、上記実施形態では、上側カバー部が壁掛時に壁面との間隔が小さくなるように形成されているため、底面部において上側カバー部の縁部に対向する部分に凹部を設ける例について説明したが、本発明はこれに限らず、図１２に示す第６変形例に係る緩衝部材７０１ａのように、室内機７０２の下側カバー部７２２ａの縁部７２２１ａに対向する部分に凹部７１５ａを設ける一方、上側カバー部７２２ｂの縁部７２２１ｂが壁掛時に壁面との間に大きな隙間が設けられるように形成されている場合には、底面部７１５において上側カバー部７２２ｂの縁部７２２１ｂに対向する凹部を設けなくてもよい。上側カバー部７２２ｂの縁部７２２１ｂと壁面との間に大きな隙間が設けられている理由は、壁面に取り付けられた据付板７２３に対して、室内機７０２を取り付け易くするためである。
【産業上の利用可能性】
【００６１】
本発明を利用すれば、積層時に室内機のカバー部材が変形してしまうのを抑制することができる。
【図面の簡単な説明】
【００６２】
【図１】本発明の第１実施形態に係る緩衝部材が装着された室内機の積層状態を示した断面図である。
【図２】室内機に緩衝部材が装着される前の状態を示した斜視図である。
【図３】室内機に緩衝部材が装着された状態を示した斜視図である。
【図４】緩衝部材の正面図である。
【図５】図４に示したＤ−Ｄ線に沿った断面図である。
【図６】室内機に本発明の第２実施形態に係る緩衝部材が装着された状態を示した斜視図である。
【図７】第１変形例に係る緩衝部材を示した斜視図である。
【図８】第２変形例に係る緩衝部材を示した斜視図である。
【図９】第３変形例に係る緩衝部材を示した斜視図である。
【図１０】第４変形例に係る緩衝部材を示した斜視図である。
【図１１】第５変形例に係る緩衝部材を示した断面図である。
【図１２】室内機に第６変形例に係る緩衝部材が装着された状態を示した断面図である。
【図１３】従来の緩衝部材が装着された室内機の積層状態を示した断面図である。
【符号の説明】
【００６３】
１ａ，１ｂ，１０１ａ〜１０１ｄ，２０１ａ，３０１ａ，４０１ａ，５０１ａ，６０１ａ，７０１ａ  緩衝部材
２，１０２，７０２  室内機
１０ａ，１１０ａ  嵌合凹部
１５ａ，１５ｂ，１１５ａ，３１５ａ，３１５ｂ，４１５ａ，４１５ｂ，５１５ａ，５１５ｂ，６１５ａ，６１５ｂ，６１５ｃ，７１５ａ  凹部
２１５ａ  凸部
２２ａ，１２２ａ，７２２ａ  下側カバー部
２２１ａ，１２２１ａ，７２２１ａ  縁部（第１縁部）
２２ｂ，７２２ｂ  上側カバー部
２２１ｂ，７２２１ｂ  縁部（第２縁部）
２２ｄ  側面カバー部
【図１】
0004428441.tif 000002
【図２】
0004428441.tif 000003
【図３】
0004428441.tif 000004
【図４】
0004428441.tif 000005
【図５】
0004428441.tif 000006
【図６】
0004428441.tif 000007
【図７】
0004428441.tif 000008
【図８】
0004428441.tif 000009
【図９】
0004428441.tif 000010
【図１０】
0004428441.tif 000011
【図１１】
0004428441.tif 000012
【図１２】
0004428441.tif 000013
【図１３】
0004428441.tif 000014